【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
サービング基地局と少なくとも１つの隣接基地局とから情報を受信することと、前記情報が、直接発見を実行するための、前記サービング基地局と前記少なくとも１つの隣接基地局との各々によって割り振られた発見リソースの時間割振りを示し、ここにおいて、前記サービング基地局に対応する前記発見リソースが時間隣接し、重複せず、前記少なくとも１つの隣接基地局に対応する前記発見リソースの１つのサブフレーム内にあり、前記サービング基地局に対応する前記発見リソースは、別の隣接基地局によって再使用される、
サブフレームタイミングを決定することと、
前記決定されたサブフレームタイミングに基づいて前記直接発見を実行することと
を備え、
ここにおいて、前記直接発見を実行することが、前記割り振られた発見リソースの各々の前記時間割振りに従って連続様式で前記割り振られた発見リソースの各々を使用して前記直接発見を実行するために１回起動することを備え、
ここにおいて、前記決定されたサブフレームタイミングまたは前記実行された直接発見のうちの少なくとも１つが前記受信された情報に基づく、
ことによって特徴付けられる、方法。
【請求項２】
前記サブフレームタイミングを前記決定することが、前記サービング基地局と前記少なくとも１つの隣接基地局とのサブフレームタイミングを決定することを備え、
前記直接発見を前記実行することが、前記発見リソースに対応する前記サービング基地局または隣接基地局の決定されたサブフレームタイミングに基づいて、前記サービング基地局と前記少なくとも１つの隣接基地局との各々によって割り振られた前記発見リソースの前記時間割振りを使用して前記直接発見を実行することを備える、請求項１に記載の方法。
【請求項３】
前記サブフレームタイミングは、
前記少なくとも１つの隣接基地局によってブロードキャストされたダウンリンク同期信号、または
直接発見を実行する少なくとも１つの他のＵＥからの送信、前記少なくとも１つの他のＵＥが前記少なくとも１つの隣接基地局によってサービスされる、のうちの少なくとも１つに基づいて決定される、請求項２に記載の方法。
【請求項４】
前記サブフレームタイミングを前記決定することが、前記受信された情報によって示された前記発見リソースの前記時間割振りを、直接発見を実行する少なくとも１つの他のＵＥの発見リソースの時間割振りと同期させることによってコンセンサス発見タイミングを決定することを備え、
前記直接発見を前記実行することが、前記コンセンサス発見タイミングに基づいて前記直接発見を実行することを備える、請求項１に記載の方法。
【請求項５】
ワイドエリアネットワーク（ＷＡＮ）リソースから前記発見リソースに遷移するとき、ＷＡＮ動作を実行するためのタイミングから前記コンセンサス発見タイミングに遷移することをさらに備える、請求項４に記載の方法。
【請求項６】
前記サービング基地局に対応する前記発見リソースが、
少なくとも１つの隣接基地局に対応する発見リソースと一致し、
前記少なくとも１つの隣接基地局に対応する前記発見リソースの１つのサブフレーム内にあり、
ここにおいて、ブランクサブフレームが前記発見リソースの前記時間割振りに先行および後続し、
ここにおいて、前記直接発見を前記実行することが、前記サービング基地局と前記少なくとも１つの隣接基地局とに対応する前記発見リソースを使用して前記直接発見を実行するために、前記コンセンサス発見タイミングに従って１回起動することを備える、請求項４に記載の方法。
【請求項７】
前記サービング基地局に対応する前記発見リソースの前記時間割振りと、隣接基地局に対応する前記発見リソースの前記時間割振りとの間のタイミングドリフトを検出することと、
前記サービング基地局に前記タイミングドリフトを報告することと
をさらに備える、請求項２または４のいずれか一項に記載の方法。
【請求項８】
前記少なくとも１つの隣接基地局のサブフレームタイミングを決定するとき、前記少なくとも１つの隣接基地局のダウンリンク周波数スペクトルに同調することと、
前記少なくとも１つの隣接基地局によってサービスされる少なくとも１つのＵＥのための前記直接発見を実行するとき、前記少なくとも１つの隣接基地局のアップリンク周波数スペクトルに同調することと
をさらに備える、請求項２または４のいずれか一項に記載の方法。
【請求項９】
基地局におけるワイヤレス通信の方法であって、
直接発見を実行するための発見リソースの時間割振りを予約することと、ここにおいて、前記基地局に対応する前記発見リソースが時間隣接し、重複せず、少なくとも１つの隣接基地局に対応する前記発見リソースの１つのサブフレーム内にあり、前記基地局に対応する前記発見リソースが、別の隣接基地局によって再使用される、
前記発見リソースの前記時間割振りを示す情報を、前記基地局によってサービスされる少なくとも１つのユーザ機器（ＵＥ）に送ることと、
を備え、
ここにおいて、前記情報が、直接発見を実行するための、前記少なくとも１つの隣接基地局によって割り振られた発見リソースの前記時間割振りをさらに示す、
ことによって特徴付けられる、方法。
【請求項１０】
前記少なくとも１つの隣接基地局によって割り振られた前記発見リソースと重複するリソース中でワイドエリアネットワーク（ＷＡＮ）動作を実行するＵＥをスケジュールすることを控えることをさらに備える、請求項９に記載の方法。
【請求項１１】
ＵＥが前記基地局に極めて近接しているとき、前記少なくとも１つの隣接基地局によって割り振られた前記発見リソースと重複するリソース中でワイドエリアネットワーク（ＷＡＮ）動作を実行する前記ＵＥをスケジュールすることと、
直接発見を実行するＵＥからの干渉を補償するのに十分な電力で送信するために、前記スケジュールされたＵＥを電力制御することと
をさらに備える、請求項９に記載の方法。
【請求項１２】
前記情報が、前記基地局のパブリックランドモバイルネットワーク（ＰＬＭＮ）とは異なるＰＬＭＮに属する前記少なくとも１つの隣接基地局によって使用される周波数スペクトルをさらに示す、請求項９に記載の方法。
【請求項１３】
ユーザ機器（ＵＥ）におけるワイヤレス通信のための装置であって、
サービング基地局と少なくとも１つの隣接基地局とから情報を受信するための手段と、前記情報が、直接発見を実行するための、前記サービング基地局と前記少なくとも１つの隣接基地局との各々によって割り振られた発見リソースの時間割振りを示し、ここにおいて、前記サービング基地局に対応する前記発見リソースが時間隣接し、重複せず、前記少なくとも１つの隣接基地局に対応する前記発見リソースの１つのサブフレーム内にあり、前記サービング基地局に対応する前記発見リソースは、別の隣接基地局によって再使用される、
サブフレームタイミングを決定するための手段と、
前記決定されたサブフレームタイミングに基づいて前記直接発見を実行するための手段と
を備え、
ここにおいて、前記直接発見を実行することが、前記割り振られた発見リソースの各々の前記時間割振りに従って連続様式で前記割り振られた発見リソースの各々を使用して前記直接発見を実行するために１回起動することを備え、
ここにおいて、前記決定されたサブフレームタイミングまたは前記実行された直接発見のうちの少なくとも１つが前記受信された情報に基づく、
ことによって特徴付けられる、装置。
【請求項１４】
前記サブフレームタイミングを決定するための前記手段が、前記サービング基地局と前記少なくとも１つの隣接基地局とのサブフレームタイミングを決定するように構成され、
前記直接発見を実行するための前記手段が、前記発見リソースに対応する前記サービング基地局または隣接基地局の決定されたサブフレームタイミングに基づいて、前記サービング基地局と前記少なくとも１つの隣接基地局との各々によって割り振られた前記発見リソースの前記時間割振りを使用して前記直接発見を実行するように構成された、請求項１３に記載の装置。
【請求項１５】
基地局におけるワイヤレス通信のための装置であって、
直接発見を実行するための発見リソースの時間割振りを予約するための手段と、ここにおいて、前記基地局に対応する前記発見リソースが時間隣接し、重複せず、少なくとも１つの隣接基地局に対応する前記発見リソースの１つのサブフレーム内にあり、サービング基地局に対応する前記発見リソースが別の隣接基地局によって再使用される、
前記発見リソースの前記時間割振りを示す情報を、前記基地局によってサービスされる少なくとも１つのユーザ機器（ＵＥ）に送るための手段と
を備え、
ここにおいて、前記情報が、直接発見を実行するための、前記少なくとも１つの隣接基地局によって割り振られた発見リソースの前記時間割振りをさらに示す、
ことによって特徴付けられる、装置。